(57)【要約】【課題】胸ポケットに入れて手軽に持ち運ぶことができ、しかも比較的に少数の紙見本を顧客に対して見やすく提示することが可能な紙見本提示具を提供すること。【解決手段】それぞれ紙見本として機能する複数枚の短冊状小紙片（２，２・・・）と、それらの短冊状小紙片を貼り付けるための台紙として機能する１枚の矩形状用紙（３）とを含み、かつ矩形状用紙は所定の折れ線にしたがって折り曲げることにより、胸ポケットに収まるサイズの矩形状に折り畳むことができる。【選択図】図１
0003106452.tif 000002
【実用新案登録請求の範囲】
【請求項１】
それぞれ紙見本として機能する複数枚の短冊状小紙片（２，２・・・）と、それらの短冊状小紙片を貼り付けるための台紙として機能する１枚の矩形状用紙（３）とを含み、かつ矩形状用紙は所定の折れ線にしたがって折り曲げることにより、胸ポケットに収まるサイズの矩形状に折り畳むことができ、
矩形状用紙は表面（４）と裏面（５）と４つの辺縁（６，７，８，９）とを有し、
矩形状用紙の表面（４）には、
矩形状用紙の全体を、第１辺縁部領域（１０）と中央部領域（１１）と第２辺縁部領域（１２）とに、第１の方向の辺縁（６，８）に沿って、３分割するための互いに平行な２本の山折り線（１３，１４）と、
中央部領域（１１）を、第２の方向の辺縁（７，９）に沿って、４等分するための互いに平行な３本の山折り線（１５，１６，１７）と、
第１辺縁部領域（１０）を、第２の方向の辺縁（７，９）に沿って、４等分するための互いに平行な３本の谷折り線（１８，１９，２０）と、
第２辺縁部領域（１２）を、第２の方向の辺縁（７，９）に沿って、４等分するための互いに平行な３本の谷折り線（２１，２２，２３）と、が設けられており、さらに
第１辺縁部領域（１０）は、外側に位置する個別特徴領域（２４）と内側に位置する共通特徴領域（２５）とに、第１の方向の辺縁（６，８）に沿って分割され、
第２辺縁部領域（１２）は、外側に位置する個別特徴領域（２６）と内側に位置する共通特徴領域（２７）とに、第１の方向の辺縁（６，８）に沿って、分割され、
第１辺縁部領域を谷折り線（１８，１９，２０）にて４等分してなる各分割領域の裏面（５）には、適宜枚数の短冊状小紙片（２，２・・・）が、辺縁（７）からその一部が外側へと一定長さ（Ｌ）だけ突出するようにして、隣接して貼り付けられており、
第２辺縁部領域を谷折り線（２１，２２，２３）にて４等分してなる各分割領域の裏面（５）には、適宜枚数の短冊状小紙片（２，２・・・）が、辺縁（９）からその一部が外側へと一定長さ（Ｌ）だけ突出するようにして、隣接して貼り付けられており、
第１辺縁部領域を谷折り線（１８，１９，２０）にて４等分してなる各分割領域の個別特徴領域（２４）には、各短冊状小紙片の貼付位置に対応させて、個々の短冊状小紙片の個別特徴を示す文字（２８）が、また共通特徴領域（２５）には、その分割領域に貼付された短冊状小紙片の共通特徴を示す文字（２９）がそれぞれ表示されており、
第２辺縁部領域を谷折り線（２１，２２，２３）にて４等分してなる各分割領域の個別特徴領域（２６）には、各短冊状小紙辺の貼付位置に対応させて、個々の短冊状小紙片の個別特徴を表す文字（３０）が、また共通特徴領域（２７）には、その分割領域に貼付された短冊状小紙片の共通特徴を表す文字（３１）がそれぞれ表示されており、
それにより、全ての折り線が折り畳まれていない全展開状態、全展開状態から山折れ線（１３，１４）に沿って折り曲げられた第１折り畳み状態、第１折り畳み状態から山折れ線（１５，１７）、谷折れ線（１８，２０，２１，２３）に沿って折り曲げられた第２折り畳み状態、第２折り畳み状態から山折れ線（１６）、谷折れ線（１９，２２）に沿って折り曲げられた最終折り畳み状態をそれぞれ出現させることができ、かつ第１折り畳み状態を裏側から見たときに紙見本提示面が構成され、かつ最終折り畳み状態により胸ポケットへの収容が可能なサイズの矩形状となる、ことを特徴とする紙見本提示具（１）。
【請求項２】
文字（２８，２９）の表示姿勢はその頭を矩形状用紙（３）の中央部（又は辺縁６）へ向けるものであり、文字（３０，３１）の表示姿勢はその頭を矩形状用紙（３）の辺縁８（又は中央部）へ向けるものである、ことを特徴とする請求項１に記載の紙見本提示具（１）。
【請求項３】
台紙（３）の素材としては、坪量１００〜２００ｇ／ｍ2程度の厚みを有する耐水耐油紙が使用される、ことを特徴とする請求項１に記載の紙見本提示具。
【請求項４】
短冊状小紙片（２）を台紙（３）に貼り付けるための接着剤として弱粘着性接着剤が使用され、それにより短冊状小紙片を台紙から剥がして付箋紙として使用可能とした、ことを特徴とする請求項１に記載の紙見本提示具。
【請求項５】
第１辺縁部領域を谷折り線（１８，１９，２０）にて４等分してなる各分割領域のそれぞれに貼付された複数枚の短冊状小紙片は、各分割領域毎に厚みが異なるように設定されており、かつ第２辺縁部領域を谷折り線（２１，２２，２３）にて４等分してなる各分割領域のそれぞれに貼付された複数枚の短冊状小紙片は、各分割領域毎に厚みが異なるように設定されている、ことを特徴とする請求項１に記載の紙見本提示具。
【請求項６】
文字（３０）により表される個別特徴が個々の短冊状小紙片の色に纏わる商品名である、ことを特徴とする請求項１に記載の紙見本提示具。
【請求項７】
第１辺縁部領域を谷折り線（１８，１９，２０）にて４等分してなる各分割領域に貼付された複数枚の短冊状小紙片の色は互いに類似する関係にあり、かつ第２辺縁部領域を谷折り線（２１，２２，２３）にて４等分してなる各分割領域に貼付された複数枚の短冊状小紙片の色は互いに類似する関係にある、ことを特徴とする請求項１に記載の紙見本提示具。
【請求項８】
第１辺縁部領域（１０）は、罫線又は色分けにより、外側に位置する個別特徴領域（２４）と内側に位置する共通特徴領域（２５）とに、第１の方向の辺縁（６，８）に沿って分割され、かつ第２辺縁部領域（１２）は、罫線又は色分けにより、外側に位置する個別特徴領域（２６）と内側に位置する共通特徴領域（２７）とに、第１の方向の辺縁（６，８）に沿って分割される、ことを特徴とする請求項１に記載の紙見本提示具。
【請求項９】
矩形状用紙の全体を、互いに平行な２本の山折り線（１３，１４）にて３分割してなる第１辺縁部領域（１０）と中央部領域（１１）と第２辺縁部領域（１２）とのうちで、中央部領域（１１）の裏面側には常備品一覧表が表示されている、ことを特徴とする請求項１に記載の紙見本提示具。
【請求項１０】
第１折り畳み状態を表側から見たときに付帯情報提示面が構成されている、ことを特徴とする請求項１に記載の紙見本提示具。
【考案の詳細な説明】
【技術分野】
【０００１】
この考案は、色上質紙の紙見本を顧客に提示する際等に好適な紙見本提示具に係り、特に、折り畳んだ状態にて胸ポケットに入れて手軽に持ち歩くことができると共に、商品の特徴を顧客に分かり易く提示できるよう工夫された紙見本提示具に関する。
【背景技術】
【０００２】
色上質紙の紙見本を顧客に提示するための紙見本提示具としては、いわゆる色見本帳が従来より知られている。この色見本帳は、色の異なる一連の紙により長方形の紙葉を紙厚さ別に２００乃至３００頁程度にわたり用意し、これらを書籍状に綴じ合わせたものである。色上質紙の色見本帳を例にとると、その厚さは３〜４ｃｍ程度、重量は７００〜１ｋｇにも達し、営業マンが常時持ち歩くには、必ずしも便利なものではない。
【０００３】
一方、色見本帳としては、紙の業界以外にも様々な業界において、効率よく多色提示を可能としたものが知られている（例えば、特許文献１，２等参照）。
【特許文献１】特開２００３−１０８０１３号公報
【特許文献２】特開平１１−０３８８８３号公報
【考案の開示】
【考案が解決しようとする課題】
【０００４】
しかしながら、従来の色見本提示具にあっては、主として、多色一覧提示に重きを置いて設計されているため、比較的に少数の紙見本を手軽に持ち歩きしかも効率よく顧客に提示する点では不具合があった。
【０００５】
すなわち、色上質紙の販売における実際の営業活動を考慮すると、（１）全ての色見本を常時に持ち運ぶ必要性に乏しいこと、（２）顧客に対して新色のキャンペーン等を行う場合にも、その新色が含まれた色見本帳を新たに製作せねばならず、コストアップに繋がること、（３）一般に新色のキャンペーンのためには、その新色が含まれた色見本帳を広く顧客に配布することが好ましいが、従前の色見本帳は全ての色を一括したものであるから、一般に広く配布するためには重量やコストの点で好ましいものではないこと、と言った問題点があった。
【０００６】
この考案は、上述の問題点に着目してなされたものであり、その目的とするところは、低コストに製作することができると共に、胸ポケットに入れて手軽に持ち運ぶことができ、しかも比較的に少数の紙見本を顧客に対して見やすく提示することが可能な紙見本提示具を提供することにある。
【０００７】
この考案のさらに他の目的並びに作用効果については、明細書の以下の説明を参照することにより、当業者であれば容易に理解されるであろう。
【課題を解決するための手段】
【０００８】
この考案の紙見本提示具（１）は、それぞれ紙見本として機能する複数枚の短冊状小紙片（２，２・・・）と、それらの短冊状小紙片を貼り付けるための台紙として機能する１枚の矩形状用紙（３）とを含んでいる。
【０００９】
矩形状用紙は表面（４）と裏面（５）と４つの辺縁（６，７，８，９）とを有し、所定の折れ線にしたがって折り曲げることにより、胸ポケットに収まるサイズの矩形状に折り畳むことができる。
【００１０】
矩形状用紙の表面（４）には、矩形状用紙の全体を、第１辺縁部領域（１０）と中央部領域（１１）と第２辺縁部領域（１２）とに、第１の方向の辺縁（６，８）に沿って、３分割するための互いに平行な２本の山折り線（１３，１４）と、中央部領域（１１）を、第２の方向の辺縁（７，９）に沿って、４等分するための互いに平行な３本の山折り線（１５，１６，１７）と、第１辺縁部領域（１０）を、第２の方向の辺縁（７，９）に沿って、４等分するための互いに平行な３本の谷折り線（１８，１９，２０）と、第２辺縁部領域（１２）を、第２の方向の辺縁（７，９）に沿って、４等分するための互いに平行な３本の谷折り線（２１，２２，２３）と、が設けられている。
【００１１】
さらに、第１辺縁部領域（１０）は、外側に位置する個別特徴領域（２４）と内側に位置する共通特徴領域（２５）とに、第１の方向の辺縁（６，８）に沿って分割され、第２辺縁部領域（１２）は、外側に位置する個別特徴領域（２６）と内側に位置する共通特徴領域（２７）とに、第１の方向の辺縁（６，８）に沿って、分割されている。
【００１２】
第１辺縁部領域を谷折り線（１８，１９，２０）にて４等分してなる各分割領域の裏面（５）には、適宜枚数の短冊状小紙片（２，２・・・）が、辺縁（７）からその一部が外側へと一定長さ（Ｌ）だけ突出するようにして、隣接して貼り付けられており、第２辺縁部領域を谷折り線（２１，２２，２３）にて４等分してなる各分割領域の裏面（５）には、適宜枚数の短冊状小紙片（２，２・・・）が、辺縁（９）からその一部が外側へと一定長さ（Ｌ）だけ突出するようにして、隣接して貼り付けられている。
【００１３】
第１辺縁部領域を谷折り線（１８，１９，２０）にて４等分してなる各分割領域の個別特徴領域（２４）には、各短冊状小紙片の貼付位置に対応させて、個々の短冊状小紙片の個別特徴を示す文字（２８）が、また共通特徴領域（２５）には、その分割領域に貼付された短冊状小紙片の共通特徴を示す文字（２９）がそれぞれ表示されており、第２辺縁部領域を谷折り線（２１，２２，２３）にて４等分してなる各分割領域の個別特徴領域（２６）には、各短冊状小紙辺の貼付位置に対応させて、個々の短冊状小紙片の個別特徴を表す文字（３０）が、また共通特徴領域（２７）には、その分割領域に貼付された短冊状小紙片の共通特徴を表す文字（３１）がそれぞれ表示されている。
【００１４】
それにより、全ての折り線が折り畳まれていない全展開状態、全展開状態から山折れ線（１３，１４）に沿って折り曲げられた第１折り畳み状態、第１折り畳み状態から山折れ線（１５，１７）、谷折れ線（１８，２０，２１，２３）に沿って折り曲げられた第２折り畳み状態、第２折り畳み状態から山折れ線（１６）、谷折れ線（１９，２２）に沿って折り曲げられた最終折り畳み状態を出現させることができ、かつ第１折り畳み状態を裏側から見たときに紙見本提示面が構成され、かつ最終折り畳み状態により胸ポケットへの収容が可能なサイズの矩形状となる。
【００１５】
本考案の紙見本提示具は以上の構成を有するものであるから、台紙となる所定サイズの１枚の矩形状用紙（３）に所定の情報（個別特徴や共通特徴を示す文字等）を印刷すると共に、必要に応じて癖付け加工（山折れ線、谷折れ線等）を施したのち、各個別特徴を示す文字位置のそれぞれに対応して、辺縁（６，８）に適宜枚数の短冊状小紙片（２，２・・・）を互いに隣接してかつ一定長だけ辺縁から突出するように、貼り付けるだけで完成するとができ、そのため加工工数が少ないことから、迅速かつ低コストに製作することができる。
【００１６】
また、第１折り畳み状態を裏面から観察したときに出現する紙見本提示面においては、共通の特徴を有する複数枚の紙見本が左右に近接して各分割領域別に配置さると共に、第１辺縁領域に貼付された紙見本列と第２辺縁領域に貼付された紙見本列も、上下に近接して各分割領域別に配置されるので、上下左右の紙見本同士の比較により、各紙見本の特徴を顧客に理解させることが容易となる。
【００１７】
また、各紙見本は、辺縁（６，８）から突出させて貼り付けられているため、第１折り畳み状態を裏面から観察したときに出現する紙見本提示面においては、個々の紙見本を指で摘んで質感や厚みを確かめることもでき、各紙見本の特徴を顧客に理解させることがより一層容易となる。
【００１８】
また、胸ポケットに収容可能な最終折り畳み状態においては、４つに折り畳まれるため、比較的に薄い用紙が使用されたとしても、最終折り畳み状態においては適度の剛性が保たれることとなり、胸ポケットに収容する場合における保形性が良好なものとなる。
【００１９】
さらに、各紙見本となる短冊状小紙片は、４つに折り畳まれた紙束の内側にすべて収容されるため、短冊状小紙片は水や汚れから確実に保護される。
【００２０】
本考案の紙見本提示具にあっては、文字（２８，２９）の表示姿勢はその頭を矩形状用紙（３）の中央部（又は辺縁６）へ向けるものであり、文字（３０，３１）の表示姿勢はその頭を矩形状用紙（３）の辺縁８（又は中央部）へ向けるものであってもよい。
【００２１】
このような構成によれば、上記の基本的な作用効果に加えて、テーブルを挟んで顧客と商談するような場合を想定すると、第１折り畳み状態を裏面から観察したときに出現する紙見本提示面においては、第１辺縁領域に貼付された紙見本列に対応する表示文字も第２辺縁領域に貼付された紙見本列に対応する表示文字も、顧客から読みやすい同じ向きに並ぶこととなり、商談をスムーズに進めることができる。
【００２２】
本考案の紙見本提示具にあっては、台紙（３）の素材としては、坪量１００〜２００ｇ／ｍ2程度の厚みを有する耐水耐油紙が使用されるようにしてもよい。
【００２３】
このような構成によれば、印刷現場等での使用を想定した場合にあっても、色の変質や汚損の虞を回避できると共に、理想的な台紙の厚さを確保した上で、折り曲げ容易性を維持することができる。すなわち、台紙としては坪量１００〜２００程度の比較的に厚みの大きな紙が要請されるのであるが、これを合成紙にて実現した場合には、ミシン目加工等の折り曲げ加工を施さないと折り曲げに困難を生ずるのに対して、耐水耐油紙であれば比較的に厚みが大きくとも、ミシン目加工等を施さずとも、容易に折り曲げられる、しかも廃棄の際も燃焼ゴミとして扱うことができる。
【００２４】
本考案の紙見本提示具にあっては、短冊状小紙片（２）を台紙（３）に貼り付けるための接着剤として弱粘着性接着剤が使用され、それにより短冊状小紙片を台紙から剥がして付箋紙として使用可能としてもよい。このような構成によれば、顧客に対する拡販用宣伝具としても好適なものとなる。
【００２５】
本考案の紙見本提示具にあっては、第１辺縁部領域を谷折り線（１８，１９，２０）にて４等分してなる各分割領域のそれぞれに貼付された複数枚の短冊状小紙片は、各分割領域毎に厚みが異なるように設定されており、かつ第２辺縁部領域を谷折り線（２１，２２，２３）にて４等分してなる各分割領域のそれぞれに貼付された複数枚の短冊状小紙片は、各分割領域毎に厚みが異なるように設定されている、ようにしてもよい。このような構成によれば、従来の色見本帳と同様な分類を採用することにより、同一の色相列を異なる厚さの紙について、顧客に提示することができる。
【００２６】
本考案の紙見本提示具にあっては、文字（３０）により表される個別特徴が個々の短冊状小紙片の色に纏わる商品名である、としてもよい。このような構成によれば、個々の紙見本の特徴を直接的に理解されることが容易となる。
【００２７】
本考案の紙見本提示具にあっては、第１辺縁部領域を谷折り線（１８，１９，２０）にて４等分してなる各分割領域に貼付された複数枚の短冊状小紙片の色は互いに類似する関係にあり、かつ第２辺縁部領域を谷折り線（２１，２２，２３）にて４等分してなる各分割領域に貼付された複数枚の短冊状小紙片の色は互いに類似する関係にある、ようにしてもよい。このような構成によれば、類似する色が近接して配置されるため、それらの色の微妙な違いを理解するのが容易となる。
【００２８】
本考案の紙見本提示具にあっては、第１辺縁部領域（１０）は、罫線又は色分けにより、外側に位置する個別特徴領域（２４）と内側に位置する共通特徴領域（２５）とに、第１の方向の辺縁（６，８）に沿って分割され、かつ第２辺縁部領域（１２）は、罫線又は色分けにより、外側に位置する個別特徴領域（２６）と内側に位置する共通特徴領域（２７）とに、第１の方向の辺縁（６，８）に沿って分割される、ようにしてもよい。このような構成によれば、個々の色見本の特徴と、それが属する共通特徴との関係が明瞭となる。
【００２９】
本考案の紙見本提示具にあっては、矩形状用紙の全体を、互いに平行な２本の山折り線（１３，１４）にて３分割してなる第１辺縁部領域（１０）と中央部領域（１１）と第２辺縁部領域（１２）とのうちで、中央部領域（１１）の裏面側には常備品一覧表が表示されている、ようにしてもよい。このような構成によれば、紙見本提示具に提示された紙見本では足りない場合にも、この常備表を頼りとして、他の関係する紙見本の大凡の情報についても、顧客に提示することができる。
【００３０】
本考案の紙見本提示具にあっては、第１折り畳み状態を表側から見たときに付帯情報提示面が構成されている、ようにしてもよい。このような構成によれば、全展開状態と最終折り畳み状態との中間状態においても、各種の情報を表示して、営業マンの便に供することができる。
【考案の効果】
【００３１】
本考案の紙見本提示具によれば、台紙となる所定サイズの１枚の矩形状用紙（３）に所定の情報（個別特徴や共通特徴を示す文字等）を印刷すると共に、必要に応じて癖付け加工（山折れ線、谷折れ線等）を施したのち、各個別特徴を示す文字位置のそれぞれに対応して、辺縁（６，８）に適宜枚数の短冊状小紙片（２，２・・・）を互いに隣接してかつ一定長だけ辺縁から突出するように、貼り付けるだけで完成するとができ、そのため加工工数が少ないことから、迅速かつ低コストに製作することができる。
【００３２】
また、第１折り畳み状態を裏面から観察したときに出現する紙見本提示面においては、共通の特徴を有する複数枚の紙見本が左右に近接して各分割領域別に配置さると共に、第１辺縁領域に貼付された紙見本列と第２辺縁領域に貼付された紙見本列も、上下に近接して各分割領域別に配置されるので、上下左右の紙見本同士の比較により、各紙見本の特徴を顧客に理解させることが容易となる。
【００３３】
また、各紙見本は、辺縁（６，８）から突出させて貼り付けられているため、第１折り畳み状態を裏面から観察したときに出現する紙見本提示面においては、個々の紙見本を指で摘んで質感や厚みを確かめることもでき、各紙見本の特徴を顧客に理解させることがより一層容易となる。
【００３４】
また、胸ポケットに収容可能な最終折り畳み状態においては、４つに折り畳まれるため、比較的に薄い用紙が使用されたとしても、最終折り畳み状態においては適度の剛性が保たれることとなり、胸ポケットに収容する場合における保形性が良好なものとなる。
【００３５】
さらに、各紙見本となる短冊状小紙片は、４つに折り畳まれた紙束の内側にすべて収容されるため、短冊状小紙片は水や汚れから確実に保護される。
【考案を実施するための最良の形態】
【００３６】
以下に、この考案の好適な実施の一形態を添付図面に従って詳細に説明する。
【００３７】
本考案に係る紙見本提示具の完全展開状態における表面図（白抜き状態）が図１に示されている。
【００３８】
同図に示されるように、この考案の紙見本提示具１は、それぞれ紙見本として機能する複数枚の短冊状小紙片（２，２・・・）と、それらの短冊状小紙片（２，２・・・）を貼り付けるための台紙として機能する１枚の矩形状用紙３とを含んでいる。矩形状用紙３の素材としては、坪量１００〜２００ｇ／ｃｍ2程度の厚みを有する耐水耐油紙を使用することが好ましい。
【００３９】
矩形状用紙３は、表面４と裏面５と４つの辺縁６，７，８，９とを有し、後に説明する所定の折れ線に従って折り曲げることにより、胸ポケットに収まるサイズの矩形状に折り畳むことができる。
【００４０】
矩形状用紙３の表面４には、矩形状用紙の全体を、第１辺縁部領域１０と中央部領域１１と第２辺縁部領域１２とに、第１の方向の辺縁６，８に沿って、３分割するための互いに平行な２本の山折れ線１３，１４が設けられている。
【００４１】
同様に、矩形状用紙３の表面４には、中央部領域１１を、第２の方向の辺縁７，９に沿って、４等分するための互いに平行な３本の山折れ線１５，１６，１７が設けられている。
【００４２】
同様に、矩形状用紙３の表面４には、第１辺縁部領域１０を、第２の方向の辺縁７，９に沿って、４等分するための互いに平行な３本の谷折れ線１８，１９，２０が設けられている。
【００４３】
同様に、矩形状用紙３の表面４には、第２辺縁部領域１２を、第２の方向の辺縁７，９に沿って、４等分するための互いに平行な３本の谷折れ線２１，２２，２３が設けられている。
【００４４】
第１辺縁部領域１０は、外側に位置する個別特徴領域２４と、内側に位置する共通特徴領域２５とに、第１の方向の辺縁６，８に沿って分割され、第２辺縁部領域１２は、外側に位置する個別特徴領域２６と内側に位置する共通特徴領域２７とに、第１の方向の辺縁６，８に沿って、分割されている。
【００４５】
第１辺縁部領域１０を谷折れ線１８，１９，２０にて４等分してなる各分割領域には、図３に示されるように、適宜枚数の短冊状小紙片２，２・・・が、辺縁７からその一部を外側へと一定長さＬだけ突出するようにして、隣接して貼り付けられており、第２辺縁部領域１２を谷折れ線２１，２２，２３にて４等分してなる各分割領域には、適宜枚数の短冊状小紙片２，２・・・が、辺縁９からその一部が外側へと一定長さＬだけ突出するようにして、隣接して貼り付けられている。
【００４６】
第１辺縁部領域１０を谷折れ線１８，１９，２０にて４等分してなる各分割領域の裏面５の個別特徴領域２４には、各短冊状小紙片２，２・・・の貼り付け位置に対応させて、個々の短冊状小紙片２，２・・・の個別特徴を示す文字２８が、また共通特徴領域２５には、その分割領域に貼り付けられた短冊状小紙片２，２・・・の共通特徴を示す文字２９がそれぞれ表示されている。
【００４７】
この例にあっては、第１分割領域の個別特徴領域２４は、５本の罫線３６によって４個の小領域に区画されており、各小領域には文字２８として『藤』、『ラベンダー』、『さくら』、『コスモス』が表示され、同分割領域の共通特徴領域２５には、文字２９として『特厚口』が表示されている。
【００４８】
同様にして、第２分割領域の個別特徴領域２４は、５本の罫線３６によって４個の小領域に区画されており、各小領域には文字２８として『桃』、『サーモン』、『びわ』、『オレンジ』が表示され、同分割領域の共通特徴領域２５には、文字２９として『最厚口』が表示されている。
【００４９】
同様に、第３分割領域の個別特徴領域２４は、５本の罫線によって４個の小領域に区画されており、各小領域には文字２８として『赤』、『白』、『銀鼠』、『黒』が表示され、同分割領域の共通特徴領域２５には、文字２９として『超厚口』が表示されている。
【００５０】
同様に、第４分割領域の個別特徴領域２４は、４本の罫線３６によって、３個の小領域に区画されており、各小領域には文字２８として、『りんどう』、『やまぶき』、『アマリリス』が表示され、同分割領域の共通特徴領域２５には、文字２９として『新色（中厚口）』が表示されている。
【００５１】
他方、第２辺縁部領域１２を谷折れ線２１，２２，２３にて４等分してなる各分割領域の個別特徴領域２６には、各短冊状小紙片の貼り付け位置に対応させて、個々の短冊状小紙片２，２・・・の個別特徴を表す文字３０が、また共通特徴領域２７には、その分割領域に貼り付けられた短冊状小紙片２，２・・・の共通特徴を表す文字３１がそれぞれ表示されている。
【００５２】
この例にあっては、第１分割領域の個別特徴領域２６は、５本の罫線３７によって４個の小領域に区画されており、各小領域には文字３０として、『白茶』、『肌』、『アイボリー』、『レモン』が表示され、同分割領域の共通特徴領域２７には、文字３１として『特薄口』が表示されている。
【００５３】
同様に、第２分割領域の個別特徴領域２６は、６本の罫線３７によって５個の小領域に区画されており、各小領域には文字３０として、『みどり』、『もえぎ』、『黄』、『濃クリーム』、『クリーム』が表示され、同分割領域の共通特徴領域２７には、文字３１として『薄口』が表示されている。
【００５４】
同様に、第３分割領域の個別特徴領域２６は、６本の罫線３７によって５個の小領域に区画されており、各小領域には文字３０として、『水』、『浅黄』、『若草』、『鶯』、『若竹』が表示され、同分割領域の共通特徴領域２７には、文字３１として『中厚口』が表示されている。
【００５５】
同様に、第４分割領域の個別特徴領域２６は、５本の罫線３７によって４個の小領域に区画されており、各小領域には文字３０として、『あじさい』、『うす水』、『ブルー』、『空』が表示され、同分割領域の共通特徴領域２７には、文字３１として『厚口』が表示されている。
【００５６】
そして、全ての折れ線が折り畳まれていない全展開状態（図１〜図３参照）、全展開状態から山折れ線（１３，１４）に沿って折り曲げられた第１折畳状態（図５，図６参照）、第１折畳状態から山折れ線（１５，１７）、谷折れ線（１８，２０，２１，２３）に沿って折り曲げられた第２折畳状態（図７，図８参照）、第２折畳状態から山折れ線（１６）、谷折れ線（１９，２２）に沿って折り曲げられた最終折畳状態（図９，図１０参照）を出現させることができ、かつ第１折畳状態を裏側から見たときに紙見本提示面が構成され（図６参照）、かつ最終折畳状態（図９，図１０参照）により、胸ポケットへの収納が可能なサイズの矩形状となるのである。
【００５７】
本考案の紙見本提示具１は以上の構成を有するものであるから、台紙となる所定サイズの１枚の矩形状用紙３に所定の情報（個別特徴や共通特徴を示す文字等）を印刷すると共に、必要に応じて癖付け加工（山折れ線、谷折れ線等）を施した後、各個別特徴を示す文字位置のそれぞれに対応して、辺縁７，９に適宜枚数の短冊状小紙片２，２・・・を互いに隣接してかつ一定長さＬだけ辺縁から突出するように、貼り付けるだけで完成することができ、そのため加工工数が少ないことから、迅速かつ低コストに製作することができる。
【００５８】
また、第１折畳状態を裏面から観察したときに出現する紙見本提示面（図６参照）においては、共通の特徴を有する複数枚の紙見本（例えば、『白茶』、『肌』、『アイボリー』、『レモン』等）が左右に近接して各分割領域別に配置されると共に、第１辺縁部領域１０に貼付された紙見本列と第２辺縁部領域１２に貼付された紙見本列も、比較的に上下に近接して各分割領域別に配置されるので、上下左右の紙見本同士の比較により、各紙見本の特徴を顧客に理解させることが容易となる。
【００５９】
また、各紙見本２，２・・・は、辺縁部７，９から突出させて貼り付けられているため、第１折畳状態を裏面から観察したときに出現する紙見本提示面（図６参照）においては、個々の紙見本２，２・・・を指でつまんで質感や厚みを確かめることもでき、各紙見本２，２・・・の特徴を顧客に理解させることがより一層容易となる。
【００６０】
また、旨ポケットに収容可能な最終折畳状態（図９，図１０参照）においては、４つに折り畳まれるため、比較的に薄い用紙が使用されたとしても、最終折畳状態においては適度の剛性が保たれることとなり、胸ポケットに収容する場合における保形性が良好なものとなる。
【００６１】
さらに、各紙見本となる短冊状小紙片２，２・・・は、４つに折り畳まれた紙束の内側に全て収容されるため、短冊状小紙片２，２・・・は水や汚れから確実に保護される。
【００６２】
図４に示されるように、本考案の紙見本提示具１にあっては、文字２８，２９の表示姿勢はその頭を矩形状用紙３の辺縁７へ向けるものであり、文字３０，３１の表示姿勢はその頭を矩形状用紙３の中央部へ向けるものである。
【００６３】
このような構成によれば、上記の基本的な作用効果に加えて、テーブルを挟んで顧客と商談するような場合を想定すると、第１折畳状態を裏面から観察したときに出現する紙見本提示面（図６参照）においては、第１辺縁部領域１０に貼付された紙見本列に対応する表示文字２８，２９も第２辺縁部領域１２に貼付された紙見本列に対応する表示文字３０，３１も、顧客から読みやすい同じ向きに並ぶこととなり、商談をスムーズに進めることができる。
【００６４】
また、本考案の紙見本提示具１にあっては、台紙として機能する用紙３の素材として、坪量１００〜２００ｇ／ｍ2程度の厚みを有する耐水耐油紙が使用されているため、印刷現場などでの使用を想定した場合にあっても、色の変質や汚損の虞れを回避できると共に、理想的な台紙の厚さを確保した上で、折曲げ容易性を維持することができる。すなわち、台紙としては坪量１００〜２００ｇ・ｍ2程度の比較的に厚みの大きな紙が要請されるのであるが、これを合成紙にて実現した場合には、ミシン目加工等の折曲加工を施さないと折り曲げに困難を来すのに対して、耐水耐油紙であれば比較的に厚みが大きくとも、ミシン目加工等を施さなずとも、容易に折り曲げられ、しかも廃棄の際も燃焼ゴミとして扱うことが可能となる。
【００６５】
また、本考案の紙見本提示具１にあっては、短冊状小紙片２，２・・・を台紙となる用紙３に貼り付けるための接着剤として弱粘着性接着剤を使用してもよい。このような構成によれば、短冊状小紙片２，２・・・を台紙から剥がして付箋紙として使用することが可能となり、顧客に対する拡販用宣伝具としても好適なものとなる。
【００６６】
また、本考案の紙見本提示具１にあっては、第１辺縁部領域１０を谷折れ線１８，１９，２０にて４等分してなる各分割領域のそれぞれに貼付された複数枚の短冊状小紙片２，２・・・は、各分割領域毎に厚みが異なるように設定されており、かつ第２辺縁部領域１２を谷折れ線２１，２２，２３にて４等分してなる各分割領域のそれぞれに貼付された複数枚の短冊状小紙片２，２・・・についても、各分割領域毎に厚みが異なるように設定されている。そのため、このような構成によれば、従来の色見本帳と同様な分類を採用することにより、同一の色相列を異なる厚さの紙について、顧客に提示することができる。
【００６７】
また、本考案の紙見本提示具１にあっては、文字２８，３０により表される個別特徴は、個々の短冊状小紙片２，２・・・の色にまつわる商品名とされており、そのため個々の紙見本の特徴を顧客に対して直感的に理解させることが容易となる。
【００６８】
また、本考案の紙見本提示具１にあっては、第１辺縁部領域１０を谷折れ線１８，１９，２０にて４等分してなる各分割領域に貼付された複数枚の短冊状小紙片の色は互いに類似する関係にあり、かつ第２辺縁部領域１２を谷折れ線２１，２２，２３にて４等分してなる各分割領域に貼付された複数枚の短冊状小紙片２，２・・・の色についても互いに類似する関係とされている。そのため、このような構成によれば、類似する色が近接して配置されるため、それらの色の微妙な違いを理解するのが容易となる。
【００６９】
また、本考案の紙見本提示具１にあっては、第１辺縁部領域１０は、罫線３２，３３により、外側に位置する個別特徴領域２４と内側に位置する共通特徴領域２５とに、第１の方向の辺縁６，８に沿って分割され、かつ第２辺縁部領域１２は、罫線３４，３５により、外側に位置する個別特徴領域２６と内側に位置する共通特徴領域２７とに、第１の方向の辺縁６，８に沿って分割されており、そのため個々の色見本の特徴と、それが属する共通特徴との関係が明瞭となる。
【００７０】
また、本考案の紙見本提示具１にあっては、矩形状用紙３の全体を、互いに平行な２本の山折れ線１３，１４にて３分割してなる第１辺縁部領域１０と中央部領域１１と第２辺縁部領域１２とのうちで、中央部領域１１の裏面側には常備品一覧表３８，３９が表示されているため、紙見本提示具１に提示された紙見本２，２・・・では足りない場合にも、この常備品一覧表３８，３９を頼りとして、他の関係する紙見本のおおよその情報についても、顧客に提示することができる。
【００７１】
さらに、本考案の紙見本提示具にあっては、第２折畳状態をおもて側から見たときに附帯情報提示面（図８参照）が構成されているため、全展開状態と最終折畳状態との中間状態においても、各種の情報を表示して、営業マンの便に供することができる。
【図面の簡単な説明】
【００７２】
【図１】紙見本提示具の完全展開状態における表面図（白抜き状態）である。
【図２】紙見本提示具の完全展開状態における表面図である。
【図３】紙見本提示具の完全展開状態における裏面図である。
【図４】紙見本提示具の要部拡大図である。
【図５】紙見本提示具の第１折畳状態の表面図である。
【図６】紙見本提示具の第１折畳状態の裏面図である。
【図７】紙見本提示具の第２折畳状態の表面図である。
【図８】紙見本提示具の第２折畳状態の裏面図である。
【図９】紙見本提示具の完全折畳状態の表面図である。
【図１０】紙見本提示具の完全折畳状態の裏面図である。
【符号の説明】
【００７３】
１      紙見本提示具
２      短冊状小紙片
３      矩形状用紙
４      矩形状用紙の表面
５      矩形状用紙の裏面
６，７，８，９      ４つの辺縁
１０    第１辺縁部領域
１１    中央部領域
１２    第２辺縁部領域
１３，１４  山折れ線
１５，１６，１７    山折れ線
１８，１９，２０    谷折れ線
２１，２２，２３    谷折れ線
２４    個別特徴領域
２５    共通特徴領域
２６    個別特徴領域
２７    共通特徴領域
２８    個別特徴を表す文字
２９    共通特徴を表す文字
３０    個別特徴を表す文字
３１    共通特徴を表す文字
３２，３３    罫線
３４，３５    罫線
３６，３７    罫線
３８，３９    常備品一覧表
【図１】
0003106452.tif 000003
【図２】
0003106452.tif 000004
【図３】
0003106452.tif 000005
【図４】
0003106452.tif 000006
【図５】
0003106452.tif 000007
【図６】
0003106452.tif 000008
【図７】
0003106452.tif 000009
【図８】
0003106452.tif 000010
【図９】
0003106452.tif 000011
【図１０】
0003106452.tif 000012